(57)【要約】【課題】  シンプルな構造で安価であって高いシール性が得られるパイプ接続構造の提供。【解決手段】  内パイプ１の端部を外パイプ２の端部内に挿入させた状態でその外周をＣ型クランプ４で締め付け固定するようにしたパイプ接続構造であって、外パイプ２はその管端部に内パイプ１の管端が挿入される第１拡径部２１を介して該第１拡径部２１より大径の第２拡径部２２が形成され、第２拡径部２２の基部と内パイプ１との間に環状ガスケット３が介装され、第２拡径部２２の管端部には環状ガスケット３に一部係る位置まで軸方向に複数のスリット２２ａが形成され、スリット２２ａで分離された分離片２２ｂの先端部が外向きに突出するように係止片２２ｃが折曲形成され、第２拡径部２２における複数のスリット２２ａで分離された分離片２２ｂをＣ型クランプ４で締め付けて内パイプ１の外径まで縮径させて締結することにより環状ガスケット３を第２拡径部２２の基部方向に押圧してテーパ状段部２３と内パイプ１の外周面に押し付けるように構成される。【選択図】      図１
2007239847.tif 000002
【特許請求の範囲】
【請求項１】
内パイプの端部を外パイプの端部内に挿入させた状態でその外周を締結固定手段で締め付け固定するようにしたパイプ接続構造であって、
前記外パイプはその管端部に前記内パイプの管端が挿入される第１拡径部を介して該第１拡径部より大径の第２拡径部がテーパ状段部を介して形成され、
該第２拡径部の基部と前記内パイプとの間に環状ガスケットが介装され、
該第２拡径部の管端部には前記環状ガスケットに一部係る位置まで軸方向に複数のスリットが形成され、
該スリットで分離された分離片の先端部が外向きに突出するように係止片が折曲形成され、
前記第２拡径部における前記複数のスリットで分離された分離片を前記締結固定手段で締め付けて前記内パイプの外径まで縮径させて締結することにより前記環状ガスケットを前記第２拡径部の基部方向に押圧して前記テーパ状段部と前記内パイプの外周面に押し付けるように構成されていることを特徴とするパイプ接続構造。
【請求項２】
請求項１に記載のパイプ接続構造において、前記内パイプにおける前記締結固定手段で締結される部分と環状ガスケット介装部との間に前記外パイプにおける第２拡径部の内周面より低い外向き環状ビードが突設されていることを特徴とするパイプ接続構造。
【発明の詳細な説明】
【技術分野】
【０００１】
本発明は、排気管等のパイプ接続構造に関する。
【背景技術】
【０００２】
従来、パイプ接続構造としては、以下のようなものが知られている。
【０００３】
従来例１・・図５（半断面図）、図６（図５のＡ矢視図）、に示すように、端部にスリット１０１ａが形成された外パイプ１０１の管端部内に内パイプ１０２の管端部を差し込み、抜け防止として外パイプ１０１のスリット１０１ａ部分と内パイプ１０２の重なり部をＣ型クランプ１０３で締め付ける構造（例えば、特許文献１参照。）。
【０００４】
従来例２・・図７（半断面図）、図８（図７のＢ矢視図）に示すように、内パイプ２０１の端部付近と外パイプ２０２の端部にフランジ２０３、２０３を設け、内パイプ２０１の管端部を外パイプ２０２の管端部内に差し込んだ状態で、ガスケット２０４を介して両フランジ２０３、２０３をボルト２０５で締結する構造（例えば、特許文献２参照。）。
【０００５】
従来例３・・図９（半断面図）、図１０（図９のＣ矢視図）に示すように、内パイプ３０１の端部を外パイプ３０２の端部内に挿入させた状態でその外周をＣ型クランプ３０３で締め付けて固定するようにしたパイプの接続部構造であって、内パイプ３０１はその端部付近に径方向外側に膨出する山形のビード３０１ａが形成され、外パイプ３０２はその端部に径方向外側に拡開して山形のビード３０１ａの端部側テーパ面に当接するフレア３０２ａが形成され、Ｃ型クランプ３０３はその両締結フランジ相互間に締結ボルトおよびナット３０４を備えた断面山形に形成され、内パイプ３０１を外パイプ３０２に差し込み、ビード３０１ａの端部側テーパ面にフレア３０２ａを当接させた状態でその外側からＣ型クランプ３０３で締め付けて内パイプ３０１と外パイプ３０２を接続する構造（例えば、特許文献３参照。）。
【特許文献１】実用新案登録第２５９４３４１号公報
【特許文献２】特開平９−６８０３７号公報
【特許文献３】特開２００２−２３５８８０号公報
【発明の開示】
【発明が解決しようとする課題】
【０００６】
しかしながら、従来例のパイプ接続構造にあっては、以下に述べるような問題があった。
【０００７】
従来例１のパイプ接続構造にあっては、上述のように、構造的にはシンプルであるが、ガス洩れが多いという問題があり、最近では殆ど採用されていない。
【０００８】
従来例２のパイプ接続構造にあっては、上述のように、フランジ２０３、２０３が用いられることで、高価であり、かつ、重量が重くなるという問題がある。
【０００９】
従来例３のパイプ接続構造にあっては、上述のように、内パイプ３０１の端部付近に径方向外側に膨出する山形のビード３０１ａを形成する必要があるが、この山形ビード３０１ａを形成するためには内パイプ３０１の拡管率が３０％をはるかに超え、特に軽量化の要請から内パイプ３０１の肉厚が薄い場合、通常の拡管方法では亀裂を起こし不良品が多くでてしまうため、特殊な工法が必要となり、その結果、特殊な設備を用いて時間の係る工程となり、コストアップするという問題がある。
【００１０】
本発明の解決しようとする課題は、シンプルな構造で安価であって高いシール性が得られるパイプ接続構造を提供することにある。
【課題を解決するための手段】
【００１１】
上記課題を解決するため請求項１記載のパイプ接続構造は、内パイプの端部を外パイプの端部内に挿入させた状態でその外周を締結固定手段で締め付け固定するようにしたパイプ接続構造であって、前記外パイプはその管端部に前記内パイプの管端が挿入される第１拡径部を介して該第１拡径部より大径の第２拡径部がテーパ状段部を介して形成され、該第２拡径部の基部と前記内パイプとの間に環状ガスケットが介装され、該第２拡径部の管端部には前記環状ガスケットに一部係る位置まで軸方向に複数のスリットが形成され、該スリットで分離された分離片の先端部が外向きに突出するように係止片が折曲形成され、前記第２拡径部における前記複数のスリットで分離された分離片を前記締結固定手段で締め付けて前記内パイプの外径まで縮径させて締結することにより前記環状ガスケットを前記第２拡径部の基部方向に押圧して前記テーパ状段部と前記内パイプの外周面に押し付けるように構成されていることを特徴とする手段とした。
【発明の効果】
【００１２】
本発明のパイプ接続構造では、上述のように、外パイプはその管端部に内パイプの管端が挿入される第１拡径部を介して該第１拡径部より大径の第２拡径部が形成され、該第２拡径部の基部と内パイプとの間に環状ガスケットが介装され、該第２拡径部の管端部には環状ガスケットに一部係る位置まで軸方向に複数のスリットが形成され、該スリットで分離された分離片の先端部が外向きに突出するように係止片が折曲形成され、第２拡径部における複数のスリットで分離された分離片を締結固定手段で締め付けて内パイプの外径まで縮径させて締結することにより環状ガスケットを前記第２拡径部の基部方向に押圧して前記テーパ状段部と内パイプの外周面に押し付けるように構成されることで、第２拡径部の基部と内パイプとの間に環状ガスケットが径方向に強く挟持された状態になるため、シンプルな構造で安価であって高いシール性を確保することができるようになるという効果が得られる。
【発明を実施するための最良の形態】
【００１３】
以下にこの発明の実施例を図面に基づいて説明する。
【実施例１】
【００１４】
この実施例１のパイプ接続構造は、請求項１に記載の発明に対応する。
【００１５】
まず、この実施例１のパイプ接続構造を図面に基づいて説明する。
【００１６】
図１（イ）〜（ハ）はこの実施例１のパイプ接続構造の接続工程を示す半断面図、図２（イ）〜（ハ）は図１（イ）〜（ハ）のＤ、Ｅ、Ｆ矢視図である。
【００１７】
このパイプ接続構造は、内パイプ１と、外パイプ２と、環状ガスケット３と、Ｃ型クランプ（締結固定手段）４とを備えている。
【００１８】
さらに詳述すると、上記内パイプ１と外パイプ２の本体部分は、図１（イ）、図２（イ）に示すように、略同一外径に形成されているが、外パイプ２はその管端部に内パイプ１の管端が挿入される第１拡径部２１を介して該第１拡径部２１より大径の第２拡径部２２が形成され、第１拡径部２１と第２拡径部２２との間にテーパ状段部２３形成されている。
【００１９】
また、外パイプ２はその第２拡径部２２の基部と内パイプ１との間に上記環状ガスケット３が介装され、この第２拡径部２２の管端部には環状ガスケット３に一部係る位置まで軸方向に複数のスリット２２ａが形成されている。
【００２０】
そして、このスリット２２ａで分離された分離片２２ｂの先端部が外向きに突出するように係止片２２ｃが折曲形成されている。
【００２１】
上記Ｃ型クランプ４は、第２拡径部２２における複数のスリット２２ａで分離された分離片２２ｂを締め付けて内パイプ１の外径まで縮径させて締結する役目をなすもので、切欠円弧状本体部４１の両端に締結フランジ部４２、４２が略平行に突設され、両締結フランジ部４２、４２をボルト・ナット４３で締め付けることにより切欠円弧状本体部４１を縮径させて締結させるようになっている。
【００２２】
次に、この実施例１の作用・効果を説明する。
【００２３】
この実施例１のパイプ接続構造では上述のように構成されるため、まず、図１（ａ）に示すように、外パイプ２における第２拡径部２２内基部に環状ガスケット３を装着した状態で、内パイプ１の管端部を環状ガスケット３及び外パイプ２の第１拡径部２１内に差し込み、図１（ｂ）に示すように、第２拡径部２２における複数のスリット２２ａで分離された分離片２２ｂをＣ型クランプ４で締め付けて内パイプ１の外径まで縮径させて締結することにより環状ガスケット３に第２拡径部２２の基部方向に動かす力が働き、図１（ｃ）に示すように、第２拡径部２２の基部のテーパ状段部２３と内パイプ１との間に環状ガスケット３が径方向に強く挟持された状態になる。
【００２４】
従って、この実施例１のパイプ接続構造によれば、シンプルな構造で安価であって高いシール性を確保することができるようになるという効果が得られる。
【００２５】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２６】
この実施例２は、実施例１におけるパイプ接続構造の変形例を示すもので、請求項２に記載の発明に対応する。
【００２７】
即ち、この実施例２のパイプ接続構造は、図３（半断面図）、図４（図３のＧ矢視図）に示すように、内パイプ１におけるＣ型クランプ４で締結される部分と環状ガスケット３の介装部との間に外パイプ２における第２拡径部２２の内周面より低い外向き環状ビード１１が突設されている点が上記実施例１とは相違したものである。
【００２８】
この実施例２では、上述のように、第２拡径部２２の内周面より低い外向き環状ビード１１が突設されることで、Ｃ型クランプ４の締め付けによる外パイプ２の縮径された第２拡径部２２の管端締結部が外向き環状ビード１１に軸方向係止され、内パイプ１の管端方向への移動が阻止されるため、パイプの抜けを防止することができるようになる。
【００２９】
また、外パイプ２における第２拡径部２２の管端部をＣ型クランプ４で締め付ける際に、Ｃ型クランプ４の端縁部が係止爪２２ｃに係止されているため、外向き環状ビード１１の斜面に沿って外パイプ２全体が管端方向へ引き寄せられる力が作用し、これにより、第１拡径部２１と第２拡径部２２との間のテーパ状段部２３と外向き環状ビード１１との間に環状ガスケット３が軸方向においても挟持された状態となり、これにより、シール性をさらに高めることができるようになるという追加の効果が得られる。
【００３０】
以上本実施例を説明してきたが、本発明は上述の実施例に限られるものではなく、本発明の要旨を逸脱しない範囲の設計変更等があっても、本発明に含まれる。
【００３１】
例えば、実施例では、締結固定手段としてＣ型クランプ４を用いたが、その他公知の締結固定手段を用いることができる。
【図面の簡単な説明】
【００３２】
【図１】実施例１のパイプ接続構造の接続工程を示す半断面図である。
【図２】図１のＤ、Ｅ、Ｆ矢視図である。である。
【図３】実施例２のパイプ接続構造の接続工程を示す半断面図である。
【図４】図３のＧ矢視図である。である。
【図５】従来例１のパイプ接続構造を示す半断面図である。
【図６】図５のＡ矢視図である。である。
【図７】従来例２のパイプ接続構造を示す半断面図である。
【図８】図７のＢ矢視図である。である。
【図９】従来例３のパイプ接続構造を示す半断面図である。
【図１０】図９のＣ矢視図である。である。
【符号の説明】
【００３３】
１  内パイプ
１１  外向き環状ビード
２  外パイプ
２１  第１拡径部
２２  第２拡径部
２２ａ  スリット
２２ｂ  分離片
２２ｃ  係止片
２３  テーパ状段部
３  環状ガスケット
４  Ｃ型クランプ（締結固定手段）
４１  切欠円弧状本体部
４２  締結フランジ部
４３  ボルト・ナット
【図１】
2007239847.tif 000003
【図２】
2007239847.tif 000004
【図３】
2007239847.tif 000005
【図４】
2007239847.tif 000006
【図５】
2007239847.tif 000007
【図６】
2007239847.tif 000008
【図７】
2007239847.tif 000009
【図８】
2007239847.tif 000010
【図９】
2007239847.tif 000011
【図１０】
2007239847.tif 000012